(57)【要約】      （修正有）【課題】給湯システムにおいて、貯湯タンクの形状と出湯圧力とを任意に設定することができ、また、貯湯タンクの増設を容易にする。【解決手段】給湯システムは、給水を貯溜する大気開放型の中温タンク１と、水を加熱するヒートポンプ２と、加熱された湯を貯湯する大気開放型の高温タンク３と、高温タンク３の湯を出湯する給湯ポンプ１７とを備える。高温タンク３は、１つ又は複数の大気開放型の増設タンク１３とそれぞれのタンク下部で連通管１２によって直列又は並列に連結することができる。高温タンク３と中温タンク１とで湯温別に貯湯し、高温タンク３と中温タンク１を大気開放型にしたので、タンクの形状を任意に構成することができ、タンクの増設も容易である。また、出湯を市水圧力によらずに給湯ポンプによって行なうので、出湯圧力を任意に設定することができる。【選択図】図１
2008096056.tif 000002
【特許請求の範囲】
【請求項１】
高温湯の出湯、及び、高温湯と給水とを混合した混合湯の出湯が可能な給湯システムにおいて、
給水を貯溜する大気開放型の中温タンクと、
前記中温タンクの水を加熱部により加熱した湯を貯湯すると共に、過剰の湯を前記中温タンクに戻し得る大気開放型の高温タンクと、
前記高温タンクに設けた湯取り出し口に接続され、高温湯を出湯する第１の出湯配管と、
前記出湯配管中に設けられた給湯ポンプと、
湯の使用を検出し、前記給湯ポンプを駆動させる検出手段と、
前記出湯配管からの高温湯と給水とを混合する混合弁を介して混合湯を出湯する第２の出湯配管と、を備え、
前記高温タンクは、タンク増設用の接続口が配設されたことを特徴とする給湯システム。
【請求項２】
前記第１及び第２の出湯配管のいずれか一方又は両方の湯使用端末付近と前記中温タンクとを繋ぐ出湯戻り管と、
前記出湯戻り管中に配された電動弁と、を備え、
前記電動弁の開閉と前記給湯ポンプの駆動により前記出湯配管中の湯を前記中温タンクに戻すようにしたことを特徴とする請求項１に記載の給湯システム。
【請求項３】
前記混合弁は、前記高温タンクの近傍に配されたことを特徴とする請求項２に記載の給湯システム。
【請求項４】
前記混合弁は、第１の出湯配管と出湯戻り管との結合箇所よりも湯使用端末側に配されたことを特徴とする請求項２に記載の給湯システム。
【請求項５】
前記中温タンクに湯水取り出し口を設け、
前記第１の出湯配管中であって、前記給湯ポンプより上流側に、該ポンプの吸込み経路を前記湯水取り出し口と高温タンクの湯取り出し口のいずれかに切り替える切り替え弁を設け、
前記第１の出湯配管は、前記高温タンクからの高温湯と前記中温タンクからの中温水とを切り替えて出湯し得るようにしたことを特徴とする請求項１乃至請求項４のいずれか一項に記載の給湯システム。
【請求項６】
前記中温タンクに湯水取り出し口を設け、
該湯水取り出し口を、加圧ポンプを介して前記混合弁の低温側に接続し、
前記第２の出湯配管は、前記中温タンクからの中温水と前記第１の出湯配管からの高温湯とを混合して出湯し得るようにしたことを特徴とする請求項１乃至請求項４のいずれか一項に記載の給湯システム。
【請求項７】
前記中温タンク内の中温水で給水を加熱するための熱交換器を備え、
前記熱交換器による熱交換後の給水経路を前記混合弁の低温側に接続し、
前記第２の出湯配管は、前記熱交換器による熱交換後の給水と前記第１の出湯配管からの高温湯とを混合して出湯し得るようにしたことを特徴とする請求項１乃至請求項４のいずれか一項に記載の給湯システム。
【発明の詳細な説明】
【技術分野】
【０００１】
本発明は、貯湯式の給湯システムに関する。
【背景技術】
【０００２】
従来から、ヒートポンプにより水を沸かし、貯湯タンクに溜めた湯をカランや食洗機等の湯使用端末に供給する給湯システムがある。図９に従来の給湯システムの構成を示す。これらの給湯システムは、湯を溜める貯湯タンク１０３と、貯湯タンク１０３の上部と下部において循環配管１００で連結されたヒートポンプ１０２とを備えている。また、貯湯タンク１０３は、下部において給水配管１０５と接続され、上部において給湯配管１１５と接続され、給湯配管１１５の端末は食洗機１２２等の湯使用端末に繋がっている。給水配管１０５からは分岐配管が分岐し、給湯配管１１５からの分岐配管と、混合栓１１９において接続され、給水と湯とが混合される。
【０００３】
この給湯システムでは、市水である温度１５℃程度の水が給水配管１０５を通じて貯湯タンク１０３の下部より貯湯タンク１０３内部に供給され、この低温水が貯湯タンク１０３の下部より循環配管１００内に取り出され、ヒートポンプ１０２で沸かされて温度８０℃〜９０℃の高温水にされ、貯湯タンク１０３に上部より入れられる。沸かし上げられた高温水は、湯使用端末に設けられた開閉弁を開けることにより、給湯配管１１５を通じて取り出され、市水と混合弁１１９において混合され、適温に調整されてカラン１２４等の湯使用端末より出湯される。このときに使用される混合弁１１９には、形状記憶合金により適温に調整するものがある。また、出湯温度を制御部にフィードバックして湯水混合弁を制御するものがある。業務用途の場合には食洗機１２２や茹麺機等で８０℃以上の高温を必要とする端末があり、給湯配管１１５が直接繋がれる。そして、家庭用途や小規模の業務用途の給湯設備においては、法規上の制約からタンク圧を、通常の市水圧力である０．３〜０．７Ｍｐａから０．２Ｍｐａ未満となるように減圧弁を配している。このため、出湯圧力もその範囲に制約され、出湯圧力が低いために、３階以上の高階には出湯できない。
【０００４】
また、貯湯タンク１０３には、常に内圧がかかっているため、変形防止のために貯湯タンク１０３の形状は、円筒で上下端は半球形状としていることが多い。従って、設置場所の幅と奥行きの寸法が、同一でなければならず、狭い軒下などには設置し難い。設置幅の寸法が狭い貯湯タンクとするため、半径の小さい円筒状のタンクを複数組み合わせた貯湯タンクも用いられているが、これはコストが高くなる。更に、貯湯タンクの外装は、四角形状であることが多いため、平面から見て四隅がデッドスペースとなり容積効率も悪化する。家庭用の貯湯タンクの容積は、３７０リットルや４６０リットルのものが一般的であるが、業務用途の場合には使用湯量が格段に多いため、ヒートポンプの台数を増やしたり、貯湯タンク容量を増やしたりする必要がでてくる。図１０に、タンクを増設した給湯システムの構成を示す。このときの増設方法としては、貯湯タンク１０３と複数の増設タンク１１０の上部と下部を順に繋げ、直列に連結し、端の増設タンク１１０の下部に給水し、他方の端の貯湯タンク１０３の上部に加熱された湯を出湯するようにするのが一般的である。そして、連結された複数のタンク内の所定の温度以上の湯量を算出するためには、貯湯タンク１０３及び増設タンク１１０に温度センサをそれぞれ配しなければならず、また、ヒートポンプ１０２との配管も、全体を一体のシステムとして構成しなければならない。外食店舗などでは、店舗の拡張や客数の増加により使用湯量が増加する場合もあり、このようなニーズに対応すると増設タンク１１０に比して比較的高価なヒートポンプ１０２を増設するか、またはヒートポンプ１０２込みでシステムを別途設置しなければならず、コスト高となる。
【０００５】
また、貯湯タンクは、ヒートポンプと共に屋外に設置されることが多く、タンクから湯の使用端末までは、短くとも５ｍ程度、業務用途で距離の長いところでは、３０ｍ以上の場合もあり、湯の使用開始時には配管内に残留している湯が置換されるまで待たねばならない（この湯を待つ時間を本明細書では、「湯待ち時間」という）。この問題を解決するために、ホテル等の大規模給湯設備では、配管内の温水を常に循環する方式がとられている。比較的小規模の施設や家庭用途では、即湯ユニットと称する小型の貯湯タンク付ヒータを出湯端の近傍に設置するなどの方法がとられる場合がある。また、業務用途では、食器洗浄用に８０〜９０℃の高温が必要なため、ブースターと称する電気又はガスを熱源とする給湯加熱装置を備えている。しかし、これらの加熱手段は、ヒートポンプ式給湯に比してエネルギーコストが高くなる。
【０００６】
また、貯湯タンク内の湯の温度は、上層部で最も高く、中層部ではそれよりも低くなり、下層部では最も低くなっており、貯湯タンクの湯を上層領域から取り出して給水管からの低温水と混合して所定温度にして湯使用端末へ供給するようにしている。また、貯湯タンクの上層部から出湯が行なわれると、貯湯タンクの下端部からその使用分だけ市水（低温水）が供給される。このような構成のタンクにおいては、例えば貯湯時間が長く、タンク内の湯温が低下してしまった場合や、床暖房等に使用する熱交換器が、タンク内に内蔵されているものにおいては、タンク内の湯が３０〜７０℃程度の湯となる場合がある。
【０００７】
給湯器において沸き上げる際の、（加熱量）／（消費電力）で示される値は、ＣＯＰ（成績係数）といわれ、エネルギー効率を表す指標となり、例えば電気ヒータのＣＯＰは１であるが、ヒートポンプでは３〜４にもなる。しかし、ヒートポンプは、その入り口水温が低いほどＣＯＰが高くなるという特性を有するため、入り口水温が３０〜７０℃であると、ＣＯＰが１〜２に低下するという問題点があり、中温水を再加熱することもエネルギー効率の悪いものとなってしまう。そのエネルギー効率の低下を避けるために、入り口水温が上昇したときにヒートポンプの運転を停止すると、高温出湯にて８０℃以上の高温水が欲しいにも拘わらず、中温水が出湯されてしまう。
【０００８】
また、貯湯タンクを下部で繋がる２槽の大気開放型にし、湯が２槽間を循環できるようにして１槽に給水を行ない、その槽の下部より水を取り出して加熱し、他槽の上部に加熱された湯を入れる構成にすることにより、貯湯タンクの形状を任意にできるようにした給湯システムが知られている（例えば特許文献１参照）。
【０００９】
ところが、上記特許文献１に示されるような給湯システムにおいては、貯湯タンクの増設は、複数のタンクの互いの上部と下部とを順に直列に繋げ、繋げられた端のタンクに給水され、加熱された湯は、他端のタンクの上部から入れられて貯湯する構成であるので、増設時に配管にコストがかかり、また、タンク間で湯温が異なるので貯湯している湯温の状況を知るためには、各タンクに温度センサを配し、制御部と信号線で接続しなければならずコストがかかる。
【００１０】
このように従来の技術においては、貯湯タンクの形状を任意にすることができず、出湯圧力が低く、貯湯タンクの増設のコストも高い。また、希望する温度の湯が出湯されるまで待たなければならない。また、エネルギー効率も悪い。  
【特許文献１】特開平８−１８９７０４号公報
【発明の開示】
【発明が解決しようとする課題】
【００１１】
本発明は、上記従来例の問題を解消するものであり、貯湯タンクの形状と出湯圧力とを任意に設定することができ、また、貯湯タンクの増設を容易に行なうことができる給湯システムを提供することを目的とする。
【課題を解決するための手段】
【００１２】
上記目的を達成するために請求項１の発明は、高温湯の出湯、及び、高温湯と給水とを混合した混合湯の出湯が可能な給湯システムにおいて、給水を貯溜する大気開放型の中温タンクと、前記中温タンクの水を加熱部により加熱した湯を貯湯すると共に、過剰の湯を前記中温タンクに戻し得る大気開放型の高温タンクと、前記高温タンクに設けた湯取り出し口に接続され、高温湯を出湯する第１の出湯配管と、前記出湯配管中に設けられた給湯ポンプと、湯の使用を検出し、前記給湯ポンプを駆動させる検出手段と、前記出湯配管からの高温湯と給水とを混合する混合弁を介して混合湯を出湯する第２の出湯配管と、を備え、前記高温タンクは、タンク増設用の接続口が配設されたものである。
【００１３】
請求項２の発明は、請求項１に記載の給湯システムにおいて、前記第１及び第２の出湯配管のいずれか一方又は両方の湯使用端末付近と前記中温タンクとを繋ぐ出湯戻り管と、前記出湯戻り管中に配された電動弁と、を備え、前記電動弁の開閉と前記給湯ポンプの駆動により前記出湯配管中の湯を前記中温タンクに戻すようにしたものである。
【００１４】
請求項３の発明は、請求項２に記載の給湯システムにおいて、前記混合弁は、前記高温タンクの近傍に配されたものである。
【００１５】
請求項４の発明は、請求項２に記載の給湯システムにおいて、前記混合弁は、第１の出湯配管と出湯戻り管との結合箇所よりも湯使用端末側に配されたものである。
【００１６】
請求項５の発明は、請求項１乃至請求項４のいずれか一項に記載の給湯システムにおいて、前記中温タンクに湯水取り出し口を設け、前記第１の出湯配管中であって、前記給湯ポンプより上流側に、該ポンプの吸込み経路を前記湯水取り出し口と高温タンクの湯取り出し口のいずれかに切り替える切り替え弁を設け、前記第１の出湯配管は、前記高温タンクからの高温湯と前記中温タンクからの中温水とを切り替えて出湯し得るようにしたものである。
【００１７】
請求項６の発明は、請求項１乃至請求項４のいずれか一項に記載の給湯システムにおいて、前記中温タンクに湯水取り出し口を設け、該湯水取り出し口を、加圧ポンプを介して前記混合弁の低温側に接続し、前記第２の出湯配管は、前記中温タンクからの中温水と前記第１の出湯配管からの高温湯とを混合して出湯し得るようにしたものである。
【００１８】
請求項７の発明は、請求項１乃至請求項４のいずれか一項に記載の給湯システムにおいて、前記中温タンク内の中温水で給水を加熱するための熱交換器を備え、前記熱交換器による熱交換後の給水経路を前記混合弁の低温側に接続し、前記第２の出湯配管は、前記熱交換器による熱交換後の給水と前記第１の出湯配管からの高温湯とを混合して出湯し得るようにしたものである。
【発明の効果】
【００１９】
請求項１の発明によれば、高温タンクと中温タンクとで貯湯し、高温タンクと中温タンクを大気開放型にしたので、タンクの形状を任意に構成することができ、タンクの増設も容易であり、また、出湯を市水圧力によらずに給湯ポンプによって行なうので、出湯圧力を任意に設定することができる。
【００２０】
請求項２の発明によれば、湯温が低下した出湯配管中の湯を中温タンクに戻し、出湯配管中の湯温を保つので、湯待ち時間を短くすることができる。
【００２１】
請求項３の発明によれば、混合弁が高温タンクの近傍に配され、中温タンクへの給水管から給水が取られて高温湯と混合されるので、湯使用端末付近に混合湯のための給水管を設けなくてもよい。
【００２２】
請求項４の発明によれば、混合弁が、湯使用端末付近に配され、混合出湯配管の長さが短いので、混合出湯戻り管を必要とせず、高温湯の出湯戻り管の１本だけにすることができる。
【００２３】
請求項５の発明によれば、高温タンクからの高温湯と中温タンクからの中温水とを切り替えて出湯し得るので、中温湯を出湯するときに高温湯と給水とを混合せずに、中温タンクの中温水を有効に利用することができる。
【００２４】
請求項６の発明によれば、中温タンクの中温水を加圧ポンプにより送湯して高温湯と混合するので、高温湯の出湯に拘わらずに中温タンクの中温水を出湯することができ、中温水を有効に利用することができる。
【００２５】
請求項７の発明によれば、中温タンクに熱交換器を備え、給水が熱交換により加熱されるので、中温タンクの中温水の熱を有効に利用することができる。
【発明を実施するための最良の形態】
【００２６】
（第１の実施形態）  
本発明の第１の実施形態に係る給湯システムについて図１を参照して説明する。本実施形態の給湯システムは、給水を貯溜する中温タンク１と、中温タンク１の水を加熱するヒートポンプ２と、ヒートポンプ２で加熱された湯を貯湯する高温タンク３と、給湯システムの稼動を制御する制御部４を備えている。中温タンク１は、給水管５と、給水弁６を介して接続されており、貯水量を検出する水位センサ７ａと、水温を検出する温度センサ８ａと、大気と通気している通気口９ａと、を有している。ヒートポンプ２は、中温タンク１と配管で接続されており、配管の途中には、中温タンク１の水をヒートポンプ２に送る給水ポンプ１０が配設されている。ヒートポンプ２は、炭酸ガス等の冷媒を圧縮して昇温させ、冷媒の熱を熱交換器を介して給水と熱交換を行い、給水を加熱する。高温タンク３は、ヒートポンプ２と接続され、貯湯量を検出する水位センサ７ｂと、湯温を検出する温度センサ８ｂと、大気と通気している通気口９ｂと、を有している。高温タンク３は、下部に接続口１１を有し、接続口１１に接続された連通管１２を介して２台の増設タンク１３に接続されている。制御部４は、温度センサ８ａ、８ｂや水位センサ７ａ、７ｂ等の各センサが検出したデータを受信して、給水ポンプ１０やヒートポンプ２等を稼動させる。増設タンク１３は、通気口９ｃを有している。２台の増設タンク１３は、直列に接続されているが、並列に接続しても構わない。
【００２７】
高温タンク３は、ヒートポンプ２から送られた湯が所定の水位を超えると中温タンク１にオーバーフローさせるオーバーフロー管１４を備えている。また、高温タンク３は、貯湯している湯を湯使用端末へ送る高温出湯配管１５を、下部に備えた湯取り出し口１６に接続されている。高温出湯配管１５には、湯を湯使用端末へ送る給湯ポンプ１７と、配管内の圧力により湯の使用を検知する圧力センサ１８が配設されている。高温出湯配管１５は、２方に分岐し、１方は、食洗機等の高温の湯を使用する端末に接続し、他方は、給水管５から分岐した配管と混合弁１９において結合され、混合出湯配管２０となって中温水を使用する端末に接続している。
【００２８】
中温タンク１、高温タンク３、及び増設タンク１３は、通気口９ａ、９ｂ、９ｃを有し、内圧が大気圧であるので、高圧タンクのようにタンク形状を円柱状にする必要がなく、角型や三角柱等の任意の形状にすることができる。設置スペースが狭い場合の容積効率や薄型化を考慮すると角柱形状が好ましい。
【００２９】
次に、上記のように構成された本実施形態に係る給湯システムの動作を説明する。中温タンク１の水位センサ７ａは、水位を検出し、制御部４は、検出された水位に応じて、給水弁６を開き給水を行なう。中温タンク１の水は、給水ポンプ１０によってヒートポンプ２に送られ、加熱されて高温タンク３へ出湯されて貯湯される。高温タンク３の貯湯量が、一定量を超えるとオーバーフロー管１４を通して中温タンク１へ送られる。高温タンク３に繋がる給湯ポンプ１７を、常に低速運転するか、又は、給湯ポンプ１７の後段にアキュムレータを配して蓄圧することで、高温出湯配管１５中の圧力を一定に保っている。湯使用端末において湯が使用されると、高温出湯配管１５中の圧力が下がり、制御部４は、圧力センサ１８の検出信号に応じて、給湯ポンプ１７に高速運転を行なわせ、高温タンク３中の湯を出湯する。また、混合出湯のときは、制御部４は、使用温度に応じて混合弁１９を開き、湯と給水を混合して出湯する。
【００３０】
このように、給水は、中温タンク１に貯水され、高温タンク３内へは直接給水が入らず、高温タンク３には、高温湯だけが入れられるので、高温タンク３内は同一湯温であり、温度成層ができない。そして、高温タンク３に繋がる増設タンク１３の湯温も同一であるので、増設するときには、高温タンク３と、増設タンク１３とをタンクの下部で連通管１２を介して接続するだけであり、容易にタンクの増設を行なうことができる。増設タンク１３の連結は、直列でも並列でも任意に行なうことができ、工場出荷時点で複数台の増設タンク１３を接続することも、設置後の増設タンク１３の増設も簡単に対応できる。
【００３１】
また、高温湯の湯量の算出も、高温タンク３にある水位センサ７ｂによって水位を検出すれば、検出した湯量にタンクの台数を乗じて簡単に貯湯量を算出することができる。従って、従来の技術では、各増設タンク１３の湯温が異なるので、各増設タンク１３に温度センサを配して湯温を検出していたが、本実施形態の給湯システムでは、各増設タンク１３に温度センサを配する必要がない。
【００３２】
また、出湯には、給湯ポンプ１７を用いるので、出湯場所に応じた能力のポンプを設置することができる。従来の技術では、出湯圧力は、０．２Ｍｐａ未満に制限されていたが、給湯ポンプ１７を用いることにより、高い場所にも出湯することができる。高温タンク３が、高圧タンクでなく大気開放型であるので、給湯ポンプ１７のコストが必要となるが、高圧タンクの製造コストや高圧タンクに必要な耐圧検査のコストが不必要であるので、コスト高とはならない。
【００３３】
（第２の実施形態）  
本発明の第２の実施形態に係る給湯システムについて図２を参照して説明する。本実施形態に係る給湯システムは、上記第１の実施形態に係る給湯システムにおいて、高温出湯配管１５及び混合出湯配管２０中の湯を、中温タンク１に戻すことができるようにしたものである。また、高温タンク３は、増設タンク１３と接続されていない。高温出湯配管１５は、茹麺機２１と食洗機２２との接続の下流側において、中温タンク１と高温出湯戻り管２３ｂによって接続されており、高温出湯戻り管２３ｂは、途中に逆止弁２５ｂと即湯弁２６ｂを有している。混合出湯配管２０は、カラン２４との接続の下流側において、中温タンク１と混合出湯戻り管２３ａによって接続されており、混合出湯戻り管２３ａは、途中に逆止弁２５ａと即湯弁２６ａを有している。混合出湯配管２０が接続されている混合弁１９は、高温タンク３の近傍に配されている。
【００３４】
本実施形態の給湯システムにおいて、温度センサ８ｃ、８ｄは、混合出湯配管２０及び高温出湯配管１５中の湯温を検出している。長い時間出湯されず、混合出湯配管２０又は高温出湯配管１５中の湯温が下がると、制御部４は、給湯ポンプ１７に高速運転を行なわせ、即湯弁２６ａ又は即湯弁２６ｂを開き、混合出湯配管２０又は高温出湯配管１５中の温度の下がった湯を中温タンク１に出湯する。このことにより、混合出湯配管２０及び高温出湯配管１５中の湯温は、常に保たれ、茹麺機２１や食洗機２２やカラン２４の湯使用端末で、湯を使用するときに、湯待ち時間が生じない。また、逆止弁２５ａ、２５ｂが配されているので、混合出湯戻り管２３ａ及び高温出湯戻り管２３ｂ中の湯が、混合出湯配管２０及び高温出湯配管１５に戻ることはない。
【００３５】
このように、湯温の低下を検出し、出湯配管内の湯使用端末付近までの湯を置換するので、出湯配管内の湯を常に循環させることなく、少ない循環量によって湯待ち時間をなくすことができる。また、給湯ポンプ１７の下流側にアキュームレータを設置し、配管内の圧力の急激な変動を吸収するとともに配管内を一定圧に保持してもよい。
【００３６】
また、戻り管によって戻された戻り湯が、高温タンク３と分離された中温タンク１に入るため、高温タンク３の湯温に影響を与えることがないので、従来の技術のように高温湯の入った貯湯タンクに戻り湯の配管を取り付けた場合に比べてエネルギーの無駄が少ない。また、従来の技術では、貯湯タンクが常に満水状態のため、混合出湯側に湯戻しの配管を配設すると、温度調整のために混合弁で混合した市水の容量が加算されてタンクに戻るために、余剰の湯を捨てなければならなくなるが、本実施形態の構成においては、中温タンク１の容量の余裕の範囲で混合出湯、高温出湯に拘わらず湯を戻すことができるという特徴がある。また、混合弁１９が高温タンク３の近傍に配され、中温タンク１への給水管５からの分岐管の給水によって混合出湯されるので、湯使用端末付近に混合出湯のための給水管を設けなくてもよい。
【００３７】
（第３の実施形態）
本発明の第３の実施形態に係る給湯システムについて図３を参照して説明する。本実施形態に係る給湯システムは、上記第２の実施形態に係る給湯システムの混合弁１９の配置位置を変えたものである。混合弁１９は、高温出湯配管１５と高温出湯戻り管２３ｂとの結合箇所と、湯使用端末側との間に配されており、混合出湯戻り管２３ａは、配設されていない。
【００３８】
本実施形態の給湯システムにおいて、高温湯は、混合弁１９によって給水と混合され、混合湯となる。そして、混合出湯配管２０中の湯は、中温タンク１へは、戻らない。本実施形態の構成により、高温出湯、混合出湯のどちらかの湯が使用されていれば、高温出湯配管１５内は高温湯に置換される。高温出湯戻り管２３ｂのみを設置すれば、混合出湯戻り管２３ａがなくても、混合出湯のときにも湯待ち時間が短くなる。
【００３９】
（第４の実施形態）  
本発明の第４の実施形態に係る給湯システムについて図４を参照して説明する。本実施形態に係る給湯システムは、上記第２の実施形態に係る給湯システムに、中温タンク１と、高温出湯配管１５とを繋ぐ配管４１を備えたものである。高温出湯配管１５の給湯ポンプ１７と、高温タンク３との間に切り替え弁３３を配設し、中温タンク１に設けられた湯水取り出し口２７と、切り替え弁３３とを配管４１によって接続する。切り替え弁３３は、給湯ポンプ１７の吸込み経路を中温タンク１の湯水取り出し口２７と、高温タンク３の湯取り出し口１６のいずれかに切り替えることができる。
【００４０】
本実施形態の給湯システムにおいて、中温タンク１の中温水を混合湯に利用する。制御部４は、高温出湯流量センサ２８の検出した流量によって高温出湯がされておらず、かつ、温度センサ８ａが検出した湯温によって、中温タンク１の中温水の温度が、混合出湯の設定温度よりも高く、かつ、混合出湯流量センサ２９が検出した流量によって、混合出湯がなされたと判断したときに、切り替え弁３３を湯水取り出し口２７に切り替え、給湯ポンプ１７を高速回転にする。中温タンク１の中温水が、混合弁１９へ送られ、混合弁１９において給水と混合され、混合出湯配管２０より出湯される。中温水を出湯するときに、高温湯と給水とを混合せずに、中温タンク１の中温水を有効に利用することができる。この切り替え弁３３は、中温水と高温水の比率を変えられるような混合弁でもよいし、また、中温水側のみにバブルを設ける構成でもよい。
【００４１】
（第５の実施形態）  
本発明の第５の実施形態に係る給湯システムについて図５を参照して説明する。本実施形態に係る給湯システムは、上記第２の実施形態に係る給湯システムにおいて、混合弁１９に給水管５からの分岐配管を接続せずに、中温タンク１からの配管４２を接続したものである。本実施形態に係る給湯システムは、中温タンク１に湯水取り出し口２７を有し、湯水取り出し口２７と混合弁１９とを繋ぐ配管４２と、配管４２の途中に加圧ポンプ３０を備える。
【００４２】
本実施形態の給湯システムにおいて、制御部４は、温度センサ８ａが検出した湯温により、中温タンク１の中温水の温度が混合出湯の設定温度よりも低く、混合出湯流量センサ２９が検出した流量により、混合湯の出湯がされたと判断したときに加圧ポンプ３０を駆動させ、給湯ポンプ１７を高速回転にし、高温タンク３の高温湯と中温タンク１の中温水とを混合して出湯する。中温タンク１の中温水の温度が、混合出湯の設定温度よりも低くても、中温タンク１の中温水を利用することができる。また、中温タンク１の中温水を加圧ポンプ３０により送湯するので、高温湯の出湯に拘わらずに中温タンク１の中温水を出湯することができる。
【００４３】
（第６の実施形態）  
本発明の第６の実施形態に係る給湯システムについて図６を参照して説明する。本実施形態に係る給湯システムは、上記第２の実施形態に係る給湯システムにおいて、中温タンク１に熱交換器３１を設け、混合弁１９において、熱交換器３１によって加熱された湯を高温湯と混合するものである。本実施形態に係る給湯システムは、中温タンク１に熱交換器３１を備えており、熱交換器３１の給水口が給水管５に繋がれ、吐出口が混合弁１９に繋がれている。
【００４４】
本実施形態の給湯システムにおいて、制御部４は、混合出湯流量センサ２９の検出した流量により、混合湯の使用を感知すると、給湯ポンプ１７を高速回転にする。給水は、熱交換器３１によって中温タンク１の中温水と熱交換されて加熱され、給水の圧力によって混合弁１９へ送られ、高温タンク３の高温湯と混合されて出湯される。
【００４５】
このように、熱交換器３１の中温水は、給水圧により送湯されるので、送湯のためのポンプが不要であり、第４の実施形態と異なり、高温出湯の使用不使用に拘わらずに中温水を利用することができる。また、中温タンク１の中温水と、給水との熱交換を熱交換器３１を介して行ない、中温水タンク１の中温水の温度を下げることによってヒートポンプ２の入り口温度を低下させ、ＣＯＰを向上させることができる。本実施形態における熱交換は、中温タンク１内の自然対流により、中温タンク１内の中温水と、熱交換器３１の管内の低温水との熱交換を行なう構成となっているが、中温タンク１内の中温水をポンプ等により循環させ、強制対流によって熱交換を促し、熱交換器３１の小型化を図ってもよい。
【００４６】
（第７の実施形態）  
本発明の第７の実施形態に係る給湯システムについて図７を参照して説明する。本実施形態に係る給湯システムの構成は、上記第６の実施形態に係る給湯システムにおいて、ヒートポンプ２によって沸き上げた湯を中温タンク１と高温タンク３に切り替えて送湯するものである。本実施形態に係る給湯システムは、ヒートポンプ２の出湯側に送湯先を中温タンク１と高温タンク３に切り替える出湯切り替え弁３２を備えており、ヒートポンプ２は、加熱した湯温を検出する温度センサ８ｅを有している。
【００４７】
本実施形態の給湯システムにおいて、制御部４は、水位センサ７ａ及び７ｂの検出した水位に応じて、中温タンク１と高温タンク３の湯量を、設定湯量になるように、給水をヒートポンプ２において沸き上げ、中温タンク１及び高温タンク３に送湯する。制御部４は、ヒートポンプ２によって給水を加熱し、温度センサ８ｅによって湯温を検出し、湯温に応じて出湯切り替え弁３２を切り替え、中温タンク１と高温タンク３とに分けて送湯する。
【００４８】
一般にヒートポンプは、沸上温度が高くなるほど効率が低下するという特性を持つ。図８にヒートポンプの沸上温度とＣＯＰの関係を示す。環境条件は、外気温１６℃、水温１６℃である。沸上温度が７０℃のときは、ＣＯＰが３．７２であるが、沸上温度が９０℃のときは、ＣＯＰは２．９１になる。従来の技術の給湯システムでは、中温湯にも高温で沸き上げられた湯を水で希釈して出湯しているため、総合的なエネルギー効率が低い。それに対して、本実施形態の給湯システムにおいては、ヒートポンプ２によって中温湯と高温湯とを別に沸き上げ、中温タンク１と高温タンク３とに分けて送湯できるようにし、高温湯を水で希釈する無駄をなくした。
【００４９】
このように、高温湯と中温湯とを分けて沸き上げることにより、省エネルギーを図ることができる。混合出湯量が９０℃換算で３，０００ｌ／日、高温出湯湯量が同じく９０度換算で、１，５００ｌ／日の店舗において、中温タンクへ６５℃での沸かし上げを行なった。給水温は１６℃であった。このときのＣＯＰは、混合出湯が３．９で高温出湯が２．９であった。このときの消費電力は混合出湯分として６６．４ｋＷｈ／日、高温出湯分として４４．７ｋＷｈ／日で、合計１１１．１ｋＷｈ／日であった。これを全て高温の９０℃で沸上げたとして計算すると混合出湯分が８９．３ｋＷｈ／日となって合計１３４．０ｋＷｈ／日となる。従って、沸上温度を切り替えることにより１７％の省エネルギーを達成したこととなる。
【００５０】
なお、本発明は、上記各種実施形態の構成に限られず、種々の変形が可能である。熱交換器３１は、管式に限らず、例えばプレート式や２重管式等の方式を用いてもよい。また、ヒートポンプ２への給水を中温タンク１を介さずに水道管と直接繋いで行なってもよい。
【図面の簡単な説明】
【００５１】
【図１】本発明の第１の実施形態に係る給湯システムの構成図。
【図２】本発明の第２の実施形態に係る給湯システムの構成図。
【図３】本発明の第３の実施形態に係る給湯システムの構成図。
【図４】本発明の第４の実施形態に係る給湯システムの構成図。
【図５】本発明の第５の実施形態に係る給湯システムの構成図。
【図６】本発明の第６の実施形態に係る給湯システムの構成図。
【図７】本発明の第７の実施形態に係る給湯システムの構成図。
【図８】本実施形態に係るヒートポンプの沸上温度とＣＯＰの関係を示す図。
【図９】従来の給湯システムの構成図。
【図１０】従来の増設タンクを備えた給湯システムの構成図。
【符号の説明】
【００５２】
１  中温タンク
２  ヒートポンプ（加熱部）
３  高温タンク
１１  接続口  
１２  連通管
１３  増設タンク  
１５  高温出湯配管（第１の出湯配管）
１６  湯取り出し口
１７  給湯ポンプ  
１８  圧力センサ（検出手段）
１９  混合弁
２０  混合出湯配管（第２の出湯配管）
２３ａ  混合出湯戻り管（出湯戻り管）
２３ｂ  高温出湯戻り管（出湯戻り管）
２６ａ、２６ｂ  即湯弁（電動弁）
２７  湯水取り出し口
３０  加圧ポンプ
３１  熱交換器
３３  切り替え弁
【図１】
2008096056.tif 000003
【図２】
2008096056.tif 000004
【図３】
2008096056.tif 000005
【図４】
2008096056.tif 000006
【図５】
2008096056.tif 000007
【図６】
2008096056.tif 000008
【図７】
2008096056.tif 000009
【図８】
2008096056.tif 000010
【図９】
2008096056.tif 000011
【図１０】
2008096056.tif 000012